(57)【要約】【課題】蛍光体ホイールの回転位置を精度よくセンシングすることでき、同期検出が向上する蛍光体ホイールを提供する。【解決手段】蛍光体ホイール１は、蛍光体リング１０１を接着層１０２で一方の面に接着したアルミニウムからなる基板１０３を備える。基板１０３の蛍光体リング１０１の非形成面である他方の面側には、ロータ１０７とステータ１０８と、一端側がロータ１０７と結合され他端側に支持フランジ１０６が設けられ、ロータ１０７の貫通部を貫通する回転軸１０９とから構成されるモータ１００が配置される。モータ１００のロータ１０７の周面の所定の箇所には同期用のマーカ１０が設けられる。【選択図】図１
2020003628.tif 000002
【特許請求の範囲】
【請求項１】
基板と、
前記基板の一方の面に形成された蛍光体層と、
前記基板の蛍光体層非形成面である他方の面側に配置され、前記基板を回転させるモータと、
前記モータのロータに設けられたマーカと、を備える、蛍光体ホイール。
【請求項２】
前記モータのロータは回転軸によって前記基板に結合されており、前記モータのステータは基台に固定される保持部を備える、請求項１に記載の蛍光体ホイール。
【請求項３】
前記蛍光体層の表面に反射層を設けた、請求項１に記載の蛍光体ホイール。
【請求項４】
前記基板には開口部を設けた、請求項１に記載の蛍光体ホイール。
【請求項５】
請求項１〜４のいずれかに記載の蛍光体ホイールを備えた光源装置。
【請求項６】
請求項５に記載の光源装置を備えた投写型映像表示装置。
【発明の詳細な説明】
【技術分野】
【０００１】
本開示は、投写型映像表示装置の照明装置に使用される蛍光体ホイールに関する。
【背景技術】
【０００２】
回転位相を検出するための同期マーカがロータに設けられた蛍光体ホイールについては、例えば特許文献１に記載されている。
【先行技術文献】
【特許文献】
【０００３】
【特許文献１】特開２０１３−１１６５２号公報
【発明の概要】
【発明が解決しようとする課題】
【０００４】
本開示は、同期検出の信頼性の向上を図った蛍光体ホイールを提供する。
【課題を解決するための手段】
【０００５】
本開示における蛍光体ホイールは、基板と、基板の一方の面に形成された蛍光体層と、基板の蛍光体層非形成面である他方の面側に配置され、基板を回転させるモータと、モータのロータに設けられたマーカとを備える。
【発明の効果】
【０００６】
本開示における蛍光体ホイールは、同期検出の信頼性の向上を図るのに有効である。
【図面の簡単な説明】
【０００７】
【図１】実施の形態１の蛍光体ホイールの構成を示す図
【図２】実施の形態１にかかる蛍光体ホイールの詳細図
【図３】実施の形態２の蛍光体ホイールの構成を示す図
【図４】カラーホイールの構成を示す正面図
【図５】実施の形態１の蛍光体ホイールの構成での励起光、蛍光の状態を示す側面図
【図６】実施の形態２の蛍光体ホイールの構成での励起光、蛍光の状態を示す側面図
【図７】実施の形態１の蛍光体ホイールを用いた照明装置の構成を示す図
【図８】実施の形態１の照明装置を用いた投写型映像表示装置の構成を示す図
【図９】実施の形態２の蛍光体ホイールを用いた照明装置の構成を示す図
【図１０】実施の形態２の照明装置を用いた投写型映像表示装置の構成を示す図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために提供されるのであって、これらにより特許請求の範囲に記載の主題を限定することは意図されていない。
（実施の形態１）
[１−１−１．蛍光体ホイールの構成]
以下、実施の形態１における蛍光体ホイール１の構成について詳細に説明する。
【００１０】
図１は、実施の形態１における蛍光体ホイールの構成図であり、同図（ａ）は平面図、同図（ｂ）は側面図、同図（ｃ）は要部の断面図である。図２は蛍光体ホイールの詳細図である。
【００１１】
蛍光体ホイール１は、表面の一部の領域に反射膜１０４を設けた蛍光体リング１０１を接着層１０２で一方の面に接着したアルミニウムからなる基板１０３を備える。基板１０３の蛍光体リング１０１の非形成面である他方の面側には、ロータ１０７とステータ１０８と、一端側がロータ１０７と結合され他端側に支持フランジ１０６が設けられ、ロータ１０７の貫通部を貫通する回転軸１０９とから構成されるモータ１００が配置される。支持フランジ１０６は、断面凸形状になっており、その径小部１０６ａが基板１０３の中央開口に嵌められることによって基板１０３が支持フランジ１０６の径大部１０６ｂで支持されるとともに、固定治具１０５によって固定されるようになっている。また、ステータ１０８には、蛍光体ホイール１を投写型映像表示装置内の基台２００に保持するための保持部１０８ａを備える。モータ１００のロータ１０７の周面の所定の箇所には同期用のマーカ１０が設けられる。同期用のマーカ１０は、後述するセンサ装置のセンサ素子でその位置が検出され、例えば、蛍光体ホイールに設けた、反射膜１０４の位置を検出できるようになっている。蛍光体リングは蛍光体層の一例である。
【００１２】
蛍光体ホイール１の構造を図１（ｃ）の断面図を参照しつつ説明する。
【００１３】
蛍光体リング１０１は、蛍光体１１１をリング上に焼結して形成されたもので、その一方の面の全領域に反射防止膜１１２が形成されている。また、反射防止膜１１２の蛍光体リング１０１と反対側に反射膜１０４が形成されている。
【００１４】
反射防止膜１１２は、誘電体多層膜からなり、後述する半導体レーザ光源８０１からの励起光と、励起光で蛍光体１１１が励起され波長変換されて出射する蛍光の波長域での入出射の表面反射ロスを最小化するように最適化するために設けられている。
【００１５】
反射膜１０４は、誘電体多層膜からなり、後述する凸レンズ８０９から入射する半導体レーザ光源８０１からの励起光の波長域と、蛍光体リング１０１で波長変換された蛍光の波長域のいずれに対しても反射率が高くなるように最適化されている。
【００１６】
なお、反射防止膜１１２を蛍光体リング１０１の一方の全領域に形成されていると説明したが、反射膜１０４を形成する部分を除く領域に形成するようにしても良い。また、反射膜１０４の上に拡散層を設けても良い。
【００１７】
また、基板１０３には、反射膜１３１が形成されている。反射膜１３１は、例えば、アルミ、銀、もしくは銀合金の反射膜とその両側に保護膜で挟持した多層膜で、後述する半導体レーザ光源８０１の波長域と、蛍光体リング１０１で半導体レーザ光源８０１の光が波長変換されて出射した蛍光の波長域で反射率が最大化するように最適化するために設けられている。
【００１８】
蛍光体リング１０１と基板１０３とは、熱伝導率と反射率を向上させる含有粒子１２１がシリコーンに充填された接着層１０２で、蛍光体ホイール１の回転軸１０９に軸対象に接着されている。含有粒子１２１としては、酸化チタンや酸化アルミニウム、酸化亜鉛などが使用できる。
【００１９】
また、図１では、蛍光体１１１を焼結した蛍光体リング１０１を接着層１０２で基板１０３に接着した例を開示したが、それとは別に基板１０３上に、蛍光体１１１を樹脂に充填し蛍光体層を形成し、その表面に反射防止膜と反射膜を形成することにより、同様の構成を実現し得る。
[１−１−２．効果]
以上のように構成した図５（ａ）、図５（ｂ）を用いて、本開示の効果について説明する。
【００２０】
図５（ａ）に示すように半導体レーザ（ＬＤ）光源８０１（図７参照）からの励起光であるレーザ光５０３は、蛍光体ホイール１の直前に配置された凸レンズ８０９で集光されて、反射膜１０４で反射し、図５（ｂ）に示すように、その進行方向が１８０度変更され凸レンズ８０９に戻るレーザ光５０３と、励起光が蛍光体１１１を照射することによって波長変換されて凸レンズ８０９に向かって出射される蛍光５０４となる。
【００２１】
上述のように同期用のマーカ１０は、基板の蛍光体層非形成面である他方の面側に配置され、基板を回転させるモータのロータに設けられているので、レーザ光５０３と蛍光５０４の光は、基板１０３によって、同期用のマーカ１０の位置を検出するセンサ装置５０２のセンサ素子５０１には到達しないように遮断され、ノイズとはならず、同期の検出の信頼性が向上する。
[１−２．蛍光体ホイールを備える光源装置]
次に、実施の形態１に係る光源装置について、図７を参照しながら説明する。図７は実施の形態１に係る光源装置の構成を示す図である。
【００２２】
図７に示されるように、実施の形態１に係る光源装置は、蛍光体ホイール１を備える。蛍光体ホイール１の詳細については、既に説明済みのためここでの説明は省略する。
【００２３】
図７に示されるように、実施の形態１に係る光源装置８は、蛍光体ホイール１と複数の半導体レーザ光源８０１とを備える。半導体レーザ光源８０１は、青色領域の波長域の励起光源の一例である。
【００２４】
光源装置８は、また、複数のコリメータレンズ８０２と凸レンズ８０３と拡散板８０４と凹レンズ８０５、波長および偏光選択性ミラー８０６、波長板８０７、凸レンズ８０８．８０９とを備える。これらの光学部品は、半導体レーザ光源８０１からの出射光を蛍光体ホイール１に導光する光学系の一例である。また、凸レンズ８１０と、カラーホイール４とロッドインテグレータ８１１とを備える。
【００２５】
複数の半導体レーザ光源８０１のそれぞれから出射された青色波長域の光は、半導体レーザ光源８０１の出射側に配置されたコリメータレンズ８０２により平行光化される。複数のコリメータレンズ８０２の出射側には、コリメータレンズ８０２から出射される半導体レーザ光源８０１の光をまとめて光束幅を小さくする凸レンズ８０３が配置される。凸レンズ８０３によって光束幅が小さくなった光は凸レンズ８０３の出射側に配置された拡散板８０４に入射する。拡散板８０４では、凸レンズ８０３によって解消しきれなかった光束の不均一状態を低減する。
【００２６】
拡散板８０４から出射した光は、凹レンズ８０５に入射する。凹レンズ８０５は、拡散板８０４から出射した光を平行化する。
【００２７】
凹レンズ８０５から出射された平行化された光は、凹レンズ８０５の出射側に配置された波長および偏光選択性ミラー８０６に入射する。波長および偏光選択性ミラー８０６は、光軸に対して４５度の角度で配置されており、半導体レーザ光源８０１から出射された青色光の波長域でＳ偏光の光を反射し、かつ、半導体レーザ光源８０１から出射された青色光の波長域でＳ偏光の光と蛍光体ホイール１から出射される黄色領域の蛍光の波長域の光を反射する特性を有している。なお、半導体レーザ光源８０１は、出射するレーザの偏光方向が、波長および偏光選択性ミラー８０６に対するＳ偏光が出射するように配置されている。したがって、波長および偏光選択性ミラー８０６に入射した、凹レンズ８０５から出射された光は波長および偏光選択性ミラー８０６で反射する。波長および偏光選択性ミラー８０６で反射した半導体レーザ光源８０１の青色の励起光は波長板８０７に入射する。波長板８０７は、半導体レーザ光源８０１の波長域の励起光の位相を遅相軸にλ／４だけ遅らせる機能を持つ。この時、波長板８０７の遅相軸は、入射する半導体レーザ光源８０１の光の偏光方向に対して、４５度の方向に配置されている。波長板８０７を通過した半導体レーザ光源８０１の励起光は、凸レンズ８０８、凸レンズ８０９の順に入射することで、光束が収束した状態で蛍光体ホイール１に入射する。
【００２８】
蛍光体ホイール１は、蛍光体リング１０１、もしくは、反射膜１０４が凸レンズ８０９に対向するように配置されている。前述のように、蛍光体ホイール１は、モータのロータ１０７に固定されることで回転するため、時系列で励起光が蛍光体リング１０１と反射膜１０４を順次照射し、蛍光体リング１０１および反射膜１０４の一点に集中的に励起光が照射されることが抑制される。
【００２９】
まず、凸レンズ８０８および凸レンズ８０９によって収束した半導体レーザ光源８０１の光が、時系列で蛍光体リング１０１に照射された場合を、以下に説明する。
【００３０】
蛍光体リング１０１に入射した半導体レーザ光源８０１からの励起光は、波長変換される。すなわち、半導体レーザ光源８０１からの励起光は、励起光と波長域が異なる蛍光に変換される。また、蛍光体リング１０１から出射される黄色領域の蛍光は、蛍光体リング１０１に入射する光に対して１８０度進行方向が変換される。つまり、蛍光は、凸レンズ８０９側に出射される。凸レンズ８０９に入射した蛍光は、凸レンズ８０８に入射し、平行光化される。平行光化した蛍光は、波長板８０７を透過したのち、波長および偏光選択性ミラー８０６に入射する。
【００３１】
波長および偏光選択性ミラー８０６は、上述の通り、蛍光の光軸に対して４５度の角度で配置されている。また、波長および偏光選択性ミラー８０６は、半導体レーザ光源８０１の出射光の青色の波長域でＳ偏光の光を反射し、半導体レーザ光源８０１の出射光の青色の波長域でＰ偏光の光と蛍光体リング１０１（蛍光体ホイール１）からの黄色領域の蛍光の波長域の光を透過する特性を有している。したがって、波長および偏光選択性ミラー８０６に入射した蛍光は、そのまま通過する。
【００３２】
次に、凸レンズ８０８および凸レンズ８０９によって収束した半導体レーザ光源８０１の光が、時系列で反射膜１０４に照射された場合を、以下に説明する。
【００３３】
反射膜１０４に照射された半導体レーザ光源８０１の励起光は、１８０度進行方向を変換される。つまり、反射光は、凸レンズ８０９側に進行方向が変わり、凸レンズ８０９、８０８に順次入射し平行化される。平行光化した半導体レーザ光源８０１の励起光の反射光は再び、波長板８０７に入射する。
【００３４】
波長板８０７は、前述のとおり、半導体レーザ光源８０１の青色波長域の励起光の位相を遅相軸にλ／４だけ遅らせる機能を持ち、波長板８０７の遅相軸は４５度の方向に配置されている。このことにより、波長板８０７を２回通過した半導体レーザ光源８０１の励起光は、偏光方向が９０度回旋し、Ｐ偏光となる。
【００３５】
波長板８０７を通過し、偏光方向が９０度回旋してＰ偏光になった半導体レーザ光源８０１の励起光の反射光は、波長および偏光選択性ミラー８０６に入射する。
【００３６】
波長および偏光選択性ミラー８０６は、上述の通り、蛍光の光軸に対して４５度の角度で配置されている。また、波長および偏光選択性ミラー８０６は、半導体レーザ光源８０１の出射光の青色波長域でＳ偏光の光を反射し、半導体レーザ光源８０１の青色の出射光の波長域でＰ偏光の光と蛍光体リング１０１（蛍光体ホイール１）からの蛍光の黄色の波長域の光を透過する特性を有している。したがって、波長および偏光選択性ミラー８０６に入射した半導体レーザ光源８０１の励起光の反射光は偏光方向がＰ偏光であるので、そのまま通過する。
【００３７】
波長および偏光選択性ミラー８０６を透過した蛍光体ホイール１からの黄色波長域の蛍光と、半導体レーザ光源８０１の青色領域の励起光の蛍光体ホイール１からの反射光は、凸レンズ８１０で収束し、カラーホイール４に入射する。
【００３８】
図４を用いて、カラーホイール４の構成を説明する。
【００３９】
カラーホイール４は、カラーホイール４を回転させるモータ４０４と、赤色の波長域の光のみを透過する特性を持つように最適化させた誘電体多層膜をガラス板上に形成した赤色光透過領域４０１と、緑色の波長域の光のみを透過する特性を持つように最適化させた誘電体多層膜をガラス板上に形成した緑色光透過領域４０２と、全波長域の光の透過率を最大化するように最適化された透過領域４０３が形成されている。なお、蛍光体ホイール１とカラーホイール４は、図示しない同期回路によって、同期が取られている。
【００４０】
まず、蛍光体ホイール１からの、黄色波長域の蛍光が出射したタイミングに合わせて、凸レンズ８１０で収束したカラーホイール４上のスポットが、順次、カラーホイールの赤色光透過領域４０１と緑色光透過領域４０２、透過領域４０３を移動することで、カラーホイールを、赤色、緑色、黄色領域の光が通過し、ロッドインテグレータ８１１に入射し、ロッドインテグレータ内で多重反射を行い、均一化され、ロッドインテグレータ８１１を出射する。
【００４１】
次に、蛍光体ホイール１から青色領域の反射光が出射したタイミングに合わせて、凸レンズ８１０で収束したカラーホイール４上のスポットが、カラーホイール上の透過領域４０３を青色領域の光が通過し、ロッドインテグレータ８１１に入射し、ロッドインテグレータ内で多重反射を行い、均一化され、ロッドインテグレータ８１１を出射する。
【００４２】
上述のように、時系列で、光強度分布が均一化された赤色、緑色、黄色、青色光が出射される。
【００４３】
なお、上記構成では、カラーホイール４をロッドインテグレータ８１１の入射側に配置したが、ロッドインテグレータ８１１の出射側に配置しても良い。
【００４４】
また、カラーホイール４は、赤色光透過領域４０１、緑色光透過領域４０２、透過領域４０３が形成されている例で、蛍光体ホイール１からの蛍光が透過領域４０３を通過する構成を示したが、蛍光体ホイール１の蛍光が、赤色光透過領域４０１と緑色光透過領域４０２のみを透過する構成で合っても良い、また、カラーホイールの色の配置順序が違っていても良いし、カラーホイールを持たない構成となっても良い。
[１−２−２．効果など]
上述の光源装置８においては、蛍光体ホイール１を使用することにより同期の信頼性の向上が図れる。
[１−３−１．蛍光体ホイールを備える光源装置を用いた投写型映像表示装置]
次に、実施の形態１の蛍光体ホイールを備えた光源装置を用いた投写型映像表示装置について、図８を用いて説明する。図８は、実施の形態１に係る投写型映像表示装置９の構成を示す図である。
【００４５】
投写型映像表示装置９は、上述の光源装置８を備える。また、リレーレンズ９０１、９０２、９０３と全反射プリズム９０４と、ＤＭＤ（Ｄｉｇｉｔａｌ  Ｍｉｃｒｏｍｉｒｒｏｒ  Ｄｅｖｉｃｅ)９０６と、投写レンズ９０７を備える。
【００４６】
なお、以下では、光源装置８の詳細に関しては省略し、ロッドインテグレータ８１１を出射した、赤色、緑色、黄色、青色の光の挙動について説明する。
【００４７】
ロッドインテグレータ８１１を出射した各色の光は、リレーレンズ９０１、９０２、９０３の３枚の凸レンズで構成されたリレーレンズ系によって、後述するＤＭＤ９０６に写像される。
【００４８】
リレーレンズ系を構成するリレーレンズ９０１、９０２、９０３を透過した光は、全反射プリズム９０４に入射する。全反射プリズム９０４は、２つのガラスブロックを有し、２つのブロックの間には微小ギャップ９０５が設けられている。全反射プリズム９０４に入射した光は、微小ギャップに９０５において反射し、ＤＭＤ９０６に入射する。
【００４９】
ＤＭＤ９０６は、図示されない同期回路と映像回路によって、蛍光体ホイール１、カラーホイール４と同期を取ると同時に、駆動され、画像情報に対応して各画素のＯＮ／ＯＦＦが切り替えられる。これにより、ＤＭＤ９０６のそれぞれの画素に入射した光の反射方向が画素ごとに変わる。
【００５０】
ＤＭＤ９０６において、ＯＮ状態の画素によって反射された光は、全反射プリズム９０４に入射し、微小ギャップ９０５には臨界角よりも小さい角度で入射し、そのまま通過する。微小ギャップ９０５を通過した光は、投写レンズ９０７によって、図示されないスクリーンに拡大投写される。
[１−３−２．効果など]
上述の投写型映像表示装置９においては、蛍光体ホイール１を使用した光源装置を搭載することによって、同期の信頼性の向上が図れる。
（実施の形態２）
[２−１−１．蛍光体ホイール]
以下、実施の形態２に係る蛍光体ホイール３の構成について図３を用いて説明する。
図３（ａ）は実施の形態２に係る蛍光体ホイール３の正面図である。また、図３（ｂ）は、実施の形態２に係る蛍光体ホイール３の正面図である。ここでは、実施の形態１とは異なり、蛍光体ホイール３は、基板３０３に開口部３０４を有している。蛍光体セグメント３０１は、半導体レーザ光源８０１からの励起光で、黄色の蛍光を発光する蛍光体で構成されており、接着剤でモータの回転軸に対して軸対称になるように基板に固定される。なお、蛍光体セグメント３０１が設けられている部分の断面は、図１（ｃ）と同じであるため、同一部分には同一符号を付して詳細の説明は省略する。また、モータ１００も実施の形態１と同じモータを使用しており、同一の符号を付してその構成の重複説明は省略する。
【００５１】
なお、上記説明では、開口部は１個のものとして説明したが、２つ以上の開口部を有していても良い。また、蛍光体セグメントは一つとして説明したが、複数であっても良い。
【００５２】
また、反射膜をいずれかの蛍光体セグメントの一つに形成した構成で説明したが、複数の蛍光体セグメント上に形成しても良い。また、蛍光体を黄色の蛍光体の構成で説明したが、例えば、赤色と緑色や、緑色と黄色の蛍光体など、他の波長域の蛍光体であっても良い。
[２−１−２．効果]
以上のように構成した図６（ａ）、および図６（ｂ）を用いて、本開示の効果について説明する。また、実施の形態１と共通する部分は、同一符号を付してその説明は省略する。
【００５３】
半導体レーザ光源８０１からの励起光は、蛍光体ホイール１の直前に配置された凸レンズ８０９で集光され、開口部３０４を透過したものは、凸レンズ１００２入射する。また、蛍光体セグメント３０１に入射し、波長変換された光は１８０度進行方向を変更し、凸レンズ８０９に向かって出射され蛍光５０４となる。
【００５４】
上記の蛍光５０４の光は、基板３０３によって、同期用のマーカ１０の位置を検出するセンサ装置５０２のセンサ素子５０１には到達しないように遮断され、ノイズとはならず、また、センサ素子として、赤外線センサを用いることで、青色波長域の励起光であるレーザ光５０３はノイズとはならず、同期の信頼性が向上する。
［２−２．蛍光体ホイールを用いた光源装置］
図９は、実施の形態２の蛍光体ホイール３を使用した光源装置を示している。
【００５５】
半導体レーザ光源８０１から、蛍光体ホイール３に到達する光の挙動は、凹レンズ８０５から出たレーザ光が、光軸に対して４５度の角度に配置された波長選択性ミラー１００１に入射し、その進行方向を９０度変更し、蛍光体ホイール３に入射することを除いては、[１−２．蛍光体ホイールを備える光源装置]と同じであるため、ここではその説明は省略する。
【００５６】
なお、波長選択性ミラー１００１は、半導体レーザ光源８０１の波長域の光を反射し、半導体レーザ光源８０１の波長域の励起光で蛍光体ホイール３の蛍光体セグメント３０１を励起し波長変換される蛍光を透過する特性を有する。
【００５７】
以降、凸レンズ８０９で集光され蛍光体ホイール３に到達した励起光の挙動に付き、説明を行う。
【００５８】
まず、蛍光体ホイール３の蛍光体セグメント３０１に半導体レーザ光源からの励起光が到達した場合には、蛍光体セグメント３０１で波長変換され、光の進行方向が１８０度変更し、再び凸レンズ８０９へと入射する。凸レンズ８０９に入射した光は、凸レンズ８０８で平行光化され、波長選択性ミラー１００１に入射する。波長選択性ミラー１００１は、蛍光を透過する特性を有しているので、そのまま通過し、凸レンズ８１０に入射する。凸レンズ８１０に入射した黄色の蛍光は、カラーホイール４に集光する。
【００５９】
カラーホイール４からロッドインテグレータ８１１の挙動については、[１−２．蛍光体ホイールを備える光源装置]と同じであるため、ここではその説明を省略する。
【００６０】
次に、蛍光体ホイール３の開口部３０４に、半導体レーザ光源８０１からの光が凸レンズ８０９で集光し、そのまま通過した場合の挙動について説明する。
【００６１】
蛍光体ホイール３の開口部３０４を透過した半導体レーザ光源８０１の励起光は、そのまま、凸レンズ１００２に入射し、続いて、凸レンズ１００３に入射することで平行光化され、その後、３枚の凸レンズ１００５、１００７、１００９と３枚の反射ミラー１００４、１００６、１００８で構成される導光系でその進行方向を変え、半導体レーザ光源８０１からの光が波長選択性ミラー１００１に入射する方向とは逆方向から入射する。
【００６２】
なお、図１０では、３枚の凸レンズ、３枚の反射ミラーで導光系を構成された例を説明したが、それ以外の方法、それ以外の枚数で導光系を構成しても良い。
【００６３】
導光系で光の進行方向を変えて、半導体レーザ光源８０１の光とは逆方向から、波長選択性ミラー１００１に入射した光は、波長性選択性ミラーは半導体レーザ光源８０１の波長域の光を反射する特性を有しているので、光の進行方向を９０度変更し、凸レンズ８１０に入射し、カラーホイール４上に集光される。
【００６４】
カラーホイール４からロッドインテグレータ８１１の挙動については、[１−２．蛍光体ホイールを備える光源装置]と同じであるため、ここでは省略する。
［２−３．蛍光体ホイールを搭載した光源装置を用いた投写型映像表示装置］
図１０では、実施の形態１の蛍光体ホイール１を用いた光源装置８の代わりに、実施の形態２による蛍光体ホイール３を用いた光源装置１２を設置する。
【００６５】
光源装置１２の挙動については、[１−２．蛍光体ホイールを備える光源装置]と同じであるため、ここでは省略する。
【００６６】
また、ロッドインテグレータ８１１を出射した光の挙動については、[１−３−１．蛍光体ホイールを備える光源装置を用いた投写型映像表示装置]と同じであるため、ここでは省略する。
【産業上の利用可能性】
【００６７】
本開示は、投写型映像表示装置の光源装置に適用可能である。
【符号の説明】
【００６８】
１、３    蛍光体ホイール
４    カラーホイール
８、１２    光源装置
１０  マーカ
１００  モータ
１０１  蛍光体リング
１０２  接着層
１０３  基板
１０４  反射膜
１０５  固定治具
１０６  支持フランジ
１０７  ロータ
１０８  ステータ
１０９  回転軸
１１１  蛍光体
１１２  反射防止膜
１２１  含有粒子
１３１  反射膜
３０１  蛍光体セグメント
３０３  基板
３０４  開口部
４０１  赤色光透過領域
４０２  緑色光透過領域
４０３  透過領域
４０４  モータ
５０１  センサ素子
５０２  センサ装置
５０３  レーザ光
５０４  蛍光
８０１  半導体レーザ光源
８０２  コリメータレンズ
８０３  凸レンズ
８０４  拡散板
８０５  凹レンズ
８０６  波長および偏光選択性ミラー
８０７  波長板
８０８、８０９、８１０  凸レンズ
８１１  ロッドインテグレータ
９０１、９０２、９０３、１１０１、１１０２、１１０３  リレーレンズ
９０４、１１０４  全反射プリズム
９０５、１１０５  微小ギャップ
９０６、１１０６  ＤＭＤ
９０７、１１０７  投写レンズ
１００１  波長選択性ミラー
１００２、１００３、１００５、１００７、１００９  凸レンズ
１００４、１００６、１００８  反射ミラー
【図１】
2020003628.tif 000003
【図２】
2020003628.tif 000004
【図３】
2020003628.tif 000005
【図４】
2020003628.tif 000006
【図５】
2020003628.tif 000007
【図６】
2020003628.tif 000008
【図７】
2020003628.tif 000009
【図８】
2020003628.tif 000010
【図９】
2020003628.tif 000011
【図１０】
2020003628.tif 000012